【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
原油サンプルから得られるナフササンプルに、前記原油サンプルの分析に基づいて値を与えるためのシステムであって：
計算モジュールおよび原油分析データを格納する不揮発性メモリデバイスと；
前記メモリに結合されているプロセッサと；
前記原油分析データの関数として全製品収率を計算し、かつ与える第１の計算モジュールと；
前記与えられた全液体製品収率の関数として未加工製品収率を計算し、かつメタン、エタン、プロパン、ブタンおよびガソリンのそれぞれに与える第２の計算モジュールと；
前記与えられた全液体製品収率の関数として水素の未加工製品収率を計算し、かつ与える第３の計算モジュールと；および
水素、メタン、エタン、プロパン、ブタンおよびガソリンのそれぞれの前記未加工製品収率および各製品の単価の関数として値を計算し、かつ水素、メタン、エタン、プロパン、ブタンおよびガソリンのそれぞれに与える第４の計算モジュールと
を含むシステム。
【請求項２】
前記第１の計算モジュールは、線形回帰法を用いて得られる１組の定数を有する多変数多項式であってナフテン含有量および芳香族含有量を変数とする多変数多項式を用いるものである請求項１に記載のシステム。
【請求項３】
前記第２の計算モジュールは、メタン、エタン、プロパン、ブタンおよびガソリンのそれぞれについて、線形回帰法を用いて得られる定数を有する多変数多項式であって前記第１の計算モジュールから与えられた前記全製品収率を変数とする多変数多項式を用いるものであり、
前記第３の計算モジュールは、線形回帰法を用いて得られる１組の定数を有する多変数多項式であって前記第１の計算モジュールから与えられた前記全製品収率および目標リサーチ法オクタン価を変数とする多変数多項式を用いるものである請求項２に記載のシステム。
【請求項４】
前記第４の計算モジュールから得られる値を生成して表示する計算モジュールをさらに備えた請求項１〜３のいずれかに記載のシステム。
【請求項５】
コンピュータを操作して、原油サンプルから得られるナフササンプルに、前記原油サンプルの分析に基づいて値を与えるための方法であって：
前記コンピュータに原油分析データを入力する工程と；
前記原油分析データの関数として全製品収率を計算し、かつ与える工程と；
前記与えられた全液体製品収率の関数として未加工製品収率を計算し、かつメタン、エタン、プロパン、ブタンおよびガソリンのそれぞれに与える工程と；
前記与えられた全液体製品収率の関数として水素の未加工製品収率を計算し、かつ与える工程と；および
水素、メタン、エタン、プロパン、ブタンおよびガソリンのそれぞれの前記未加工製品収率および各製品の単価の関数として値を計算し、かつ水素、メタン、エタン、プロパン、ブタンおよびガソリンのそれぞれに与える工程と
を含む方法。
【請求項６】
前記全製品収率を計算しかつ与える前記工程は、線形回帰法を用いて得られる１組の定数を有する多変数多項式であってナフテン含有量および芳香族含有量を変数とする多変数多項式を用いるものである請求項５に記載の方法。
【請求項７】
メタン、エタン、プロパン、ブタンおよびガソリンのそれぞれについて前記未加工製品収率を計算し与える前記工程は、線形回帰法を用いて得られる定数を有する多変数多項式であって前記全製品収率を計算しかつ与える前記工程で与えられた前記全製品収率を変数とする多変数多項式を用いるものであり、
水素について前記未加工製品収率を計算し与える前記工程は、線形回帰法を用いて得られる１組の定数を有する多変数多項式であって前記全製品収率を計算しかつ与える前記工程で与えられた前記全製品収率および目標リサーチ法オクタン価を変数とする多変数多項式を用いるものである請求項６に記載の方法。
【請求項８】
水素、メタン、エタン、プロパン、ブタンおよびガソリンのそれぞれに対し値を計算しかつ与える前記工程で得られる１つ以上の値を表示する工程をさらに備えた請求項５〜７のいずれかに記載の方法。
【請求項９】
原油サンプルから得られるナフササンプルに、前記原油サンプルの分析に基づいて値を与えるためのシステムであって：
計算モジュールおよび原油分析データを格納する不揮発性メモリデバイスと；
前記メモリに結合されているプロセッサと；
前記原油分析データの指数および前記原油サンプルの密度の関数として芳香族含有量およびナフテン含有量を計算し、かつ前記ナフササンプルに与える第１の計算モジュールと；
前記芳香族含有量およびナフテン含有量の関数として全製品収率を計算し、かつ与える第２の計算モジュールと；
前記与えられた全液体製品収率の関数として未加工製品収率を計算し、かつメタン、エタン、プロパン、ブタンおよびガソリンのそれぞれに与える第３の計算モジュールと；
前記与えられた全液体製品収率の関数として水素の未加工製品収率を計算し、かつ与える第４の計算モジュールと；および
水素、メタン、エタン、プロパン、ブタンおよびガソリンのそれぞれの前記未加工製品収率および各製品の単価の関数として値を計算し、かつ水素、メタン、エタン、プロパン、ブタンおよびガソリンのそれぞれに与える第５の計算モジュールと
を含むシステム。
【請求項１０】
前記第２の計算モジュールは、線形回帰法を用いて得られる１組の定数を有する多変数多項式であってナフテン含有量および芳香族含有量を変数とする多変数多項式を用いるものである請求項９に記載のシステム。
【請求項１１】
前記第３の計算モジュールは、メタン、エタン、プロパン、ブタンおよびガソリンのそれぞれについて、線形回帰法を用いて得られる定数を有する多変数多項式であって前記第２の計算モジュールから与えられた前記全製品収率を変数とする多変数多項式を用いるものであり、
前記第４の計算モジュールは、線形回帰法を用いて得られる１組の定数を有する多変数多項式であって前記第２の計算モジュールから与えられた前記全製品収率および目標リサーチ法オクタン価を変数とする多変数多項式を用いるものである請求項１０に記載のシステム。
【請求項１２】
前記第５の計算モジュールから得られる値を生成して表示する計算モジュールをさらに備えた請求項９〜１１のいずれかに記載のシステム。
【請求項１３】
コンピュータを操作して、原油サンプルから得られるナフササンプルに、前記原油サンプルの分析に基づいて値を与えるための方法であって：
前記コンピュータに原油分析データを入力する工程と；
前記原油分析データの指数および前記原油サンプルの密度の関数として芳香族含有量およびナフテン含有量を計算し、かつ前記ナフササンプルに与える工程と；
前記芳香族含有量およびナフテン含有量の関数として全製品収率を計算し、かつ与える工程と；
前記与えられた全液体製品収率の関数として未加工製品収率を計算し、かつメタン、エタン、プロパン、ブタンおよびガソリンのそれぞれに与える工程と；
前記与えられた全液体製品収率の関数として水素の未加工製品収率を計算し、かつ与える工程と；および
水素、メタン、エタン、プロパン、ブタンおよびガソリンのそれぞれの前記未加工製品収率および各製品の単価の関数として値を計算し、かつ水素、メタン、エタン、プロパン、ブタンおよびガソリンのそれぞれに与える工程と
を含む方法。
【請求項１４】
前記全製品収率を計算しかつ与える前記工程は、線形回帰法を用いて得られる１組の定数を有する多変数多項式であってナフテン含有量および芳香族含有量を変数とする多変数多項式を用いるものである請求項１３に記載の方法。
【請求項１５】
メタン、エタン、プロパン、ブタンおよびガソリンのそれぞれについて前記未加工製品収率を計算し与える前記工程は、線形回帰法を用いて得られる定数を有する多変数多項式であって前記全製品収率を計算しかつ与える前記工程で与えられた前記全製品収率を変数とする多変数多項式を用いるものであり、
水素について前記未加工製品収率を計算し与える前記工程は、線形回帰法を用いて得られる１組の定数を有する多変数多項式であって前記全製品収率を計算しかつ与える前記工程で与えられた前記全製品収率および目標リサーチ法オクタン価を変数とする多変数多項式を用いるものである請求項１４に記載の方法。
【請求項１６】
水素、メタン、エタン、プロパン、ブタンおよびガソリンのそれぞれに対し値を計算しかつ与える前記工程で得られる１つ以上の値を表示する工程をさらに備えた請求項１３〜１５のいずれかに記載の方法。
【請求項１７】
前記原油分析データが、フーリエ変換近赤外分光法、フーリエ変換赤外分光法、フーリエ変換イオンサイクロトロン質量分析法、飛行時間型質量分析法、紫外可視分光法、レーザー誘起紫外分光法、核磁気分光法、蛍光分光法、ラマン分光法、ガスクロマトグラフィー、液体クロマトグラフィー、超臨界流体クロマトグラフィー、熱重量分析および示差走査熱量測定法からなる群から選択される分析手法から得られる請求項１〜１６のいずれかに記載のシステムまたは方法。
【請求項１８】
前記原油分析データは、フーリエ変換近赤外分光法により得られるものであり、前記原油分析データの前記指数は、所定の波数範囲で検出されたピークの原油溶液の吸光度値の合計の関数である請求項１〜１６のいずれかに記載のシステムまたは方法。
【請求項１９】
前記原油分析データは、フーリエ変換近赤外分光法により得られるものであり、前記原油分析データの前記指数（ＮＩＲＡ）は、Ａｂｓｏｒｂａｎｃｅを所定の波数範囲で検出されたピークの原油溶液の吸光度値として下記の式で決定されるものである請求項１〜１６のいずれかに記載のシステムまたは方法。
2018509594.tif 000001
【請求項２０】
前記芳香族含有量および前記ナフテン含有量は、ＫＰａ〜ＫＰｈ、および、ＫＡａ〜ＫＡｈを定数とし、ＤＥＮを１５℃での原油の密度とし、Ｉを前記指数（ＮＩＲＡ）としたときに、下記の式で計算されて与えられるものである請求項１８又は１９に記載のシステムまたは方法。
パラフィン含有量＝ＫＰａ＋ＫＰｂ＊ＤＥＮ＋ＫＰｃ＊ＤＥＮ２＋ＫＰｄ＊ＤＥＮ３＋ＫＰｅ＊Ｉ＋ＫＰｆ＊Ｉ２＋ＫＰｇ＊Ｉ３＋ＫＰｈ＊ＤＥＮ＊Ｉ              
芳香族含有量＝ＫＡａ＋ＫＡｂ＊ＤＥＮ＋ＫＡｃ＊ＤＥＮ２＋ＫＡｄ＊ＤＥＮ３＋ＫＡｅ＊Ｉ＋ＫＡｆ＊Ｉ２＋ＫＡｇ＊Ｉ３＋ＫＡｈ＊ＤＥＮ＊Ｉ                  
ナフテン含有量＝１００−パラフィン含有量−芳香族含有量